(57)【要約】【課題】本発明は主として携帯電話等のレシーバとして使用されるスピーカに関するものであり、スピーカ駆動時のボイスコイルの上下動動作が円滑に行え、スペースファクターに優れた実用的な矩形形のスピーカを提供するものである。【解決手段】本発明のスピーカは、ボイスコイル２２の引出し線２２ａを短径の端子２１の内部接続部２１ａと反対側の略コーナ部近傍から外方に延出させて、筐体２０に一体化された端子２１の内部接続部２１ａに接続するようにしたので、前記引出し線を短径側を横断する長さまで延出したことにより、スピーカ駆動時のボイスコイル２２の上下動動作が充分確保され、スピーカとしての振動板２３の振幅も充分とれるものである。【選択図】図１
2010016889.tif 000002
【特許請求の範囲】
【請求項１】
略矩形形状体の上下に開口面を設け、両端の短径部分に夫々一端が露出して内部接続部となり、他端を外部接続部とした端子をインサート成形した筐体と、この内部に略矩形状に巻回され、両端が前記内部接続部と電気的に接続されたボイスコイルと、前記ボイスコイルの上端面と接合されるとともに、前記上部開口面に装着された振動板と、前記下部開口面に装着され、前記ボイスコイルが嵌め込まれる磁気ギャップを設けた略矩形の磁気回路部とで構成されるスピーカであって、前記露出部は短径の略コーナ部分に位置し、少なくとも前記露出部と電気的に接続されたボイスコイルの引出し線がその同じ短径の反対側の略コーナ部近傍から外方に延出されたものであるスピーカ。
【請求項２】
延出された引出し線のボイスコイル本体側と前記露出部との電気的接続点間が上下差を設けた請求項１記載のスピーカ。
【請求項３】
磁気ギャップのコーナ部が少なくとも外方に向かって開かれた磁気回路部である請求項１または請求項２に記載のスピーカ。
【請求項４】
磁気ギャップの短径側が少なくとも外方に向かって開かれた磁気回路部であり、引出し線がボイスコイル本体の短径側から外方に引き出された構成の請求項１または請求項２に記載のスピーカ。
【発明の詳細な説明】
【技術分野】
【０００１】
本発明は主として携帯電話等のレシーバとして使用されるスピーカに関するものである。
【背景技術】
【０００２】
従来の技術を図３により説明する。図３は携帯電話用のレシーバとして使用されるスピーカの分解斜視図であり、同図によると１は底面にマグネット２を装着した円筒状のヨークであり、３はマグネット２に重畳されて結合された上部プレートであり、この円筒状のヨーク１の内壁と上部プレート３の側面とでリング状の磁気ギャップ（図示せず）が構成され、これらヨーク１、マグネット２と上部プレート３とで磁気回路４が形成されている。
【０００３】
６は略中央にボイスコイル６ａを装着した振動板であり、７は上記磁気回路４をインサート成形した樹脂材からなるケースである。
【０００４】
なお、このケース７には外部接続端子８とこれに繋がったボイスコイル６ａの引出し線と接続される内部接続端子（図示せず）がインサート成形により一体化されている。
【０００５】
前記振動板６は前記ボイスコイル６ａを前記磁気回路４の磁気ギャップに嵌め込んでその外周をケース７に接着剤により接合している。
【０００６】
１０は制動布１０ａを貼り付けたプロテクターであり、共振時の振動板６の過大な振幅を抑制するものである。
【０００７】
以上のように構成されたスピーカは外部接続端子８を通じて音声信号を内部接続端子を介してボイスコイル６ａに入力し、ボイスコイル６ａを上下に駆動して振動板６を振幅させ発音するものである。
【発明の概要】
【発明が解決しようとする課題】
【０００８】
近年、携帯電話装置の多機能化の中で表示部の大型化が図られ、レシーバ部分の省スペース化要求によってより小型のスピーカが要求されてきているが、組立加工がより高精度化し、品質の安定化が困難となるとともに、音質の劣化、音圧の低下の解消が課題となってきている。
【０００９】
本発明は上記課題を解決するために狭幅の矩形型のスピーカの実用化を目指したものであり、携帯電話のスペースファクターを有効に利用して前記課題の解決を図るものである。
【課題を解決するための手段】
【００１０】
上記課題を解決するために、本発明のスピーカは、略矩形形状体の上下に開口面を設け、両端の短径部分に夫々一端が露出して内部接続部となり、他端を外部接続部とした端子をインサート成形した筐体と、この内部に略矩形状に巻回され、両端が前記内部接続部と電気的に接続されたボイスコイルと、前記ボイスコイルの上端面と接合されるとともに、前記上部開口面に装着された振動板と、前記下部開口面に装着され、前記ボイスコイルが嵌め込まれる磁気ギャップを設けた略矩形の磁気回路部とでスピーカを構成するとともに、前記露出部を短径の略コーナ部分に設け、少なくとも前記露出部と電気的に接続されるボイスコイルの引出し線がその同じ短径の反対側の略コーナ部近傍から延出されたものとしたものであり、ボイスコイルの引出し線を短径の辺を横断するように延出して設けたため、スピーカ駆動時のボイスコイルの上下動動作が円滑に行えるものである。
【発明の効果】
【００１１】
以上のように本発明のスピーカは、端子の露出部と電気的に接続されるボイスコイルの引出し線がその同じ短径の反対側の略コーナ部近傍から延出されたものであり、ボイスコイルの引出し線を短径の辺を横断するように延出して設けたため、スピーカ駆動時のボイスコイルの上下動動作が円滑に行えるものである。
【００１２】
よって、携帯電話などにおいてスペースを有効に活用した狭幅の矩形型のスピーカの提供が可能となるものである。
【図面の簡単な説明】
【００１３】
【図１】（ａ）本発明のスピーカの一実施形態のレシーバの分解斜視図、（ｂ）同要部である筐体を裏返した状態の斜視図
【図２】同要部である磁気回路部の分解斜視図
【図３】従来のスピーカの分解斜視図
【発明を実施するための形態】
【００１４】
以下、本発明のスピーカの一実施の形態について図１（ａ）から図２により説明する。
【００１５】
（実施の形態１）
図１（ａ）は本発明のスピーカの一実施の形態のレシーバの分解斜視図であり、図１（ｂ）は同要部である筐体２０の裏返した状態の斜視図であり、図２は同要部である磁気回路部の分解斜視図である。
【００１６】
同図によると、２０は上下の面が開口面となり樹脂成形により形成された略矩形形状の筐体であり、両端の短辺には夫々一端が筐体上に露出して内部接続部２１ａとなり、他端が外部接続部２１ｂとなる端子２１がインサート成形により前記筐体２０の成形時に一体化して形成されている。なお、前記内部接続部２１ａは前記筐体２０の短辺の端のコーナ部分に位置するように設定されるとともに、上面に必要に応じて半田被覆を行いボイスコイル２２の引出し線２２ａとの電気的接続の信頼性を確保している。
【００１７】
なお、筐体２０内に配置されたボイスコイル２２はそのボイスコイル２２の本体の略コーナ部分から引出し線２２ａが引き出され、前記内部接続部２１ａにその端部２２ｃが半田付接続される形状となっている（図示せず）。
【００１８】
また、前記引出し線２２ａは短径の反対側近傍の略コーナ部分から延出して半田付接続されるので引出し線２２ａを長くすることでボイスコイル２２のスピーカ駆動時の上下動に対して引っ張り余裕が確保され、ボイスコイル２２の円滑な駆動を可能としている（図示せず）。
【００１９】
なお、更にこの引出し線２２ａはボイスコイル２２の本体からの引出し部分と前記内部接続部２１ａ間に高低差（内部接続部２１ａを高くする）を設けることで、前記引出し線２２ａの上下動に対する引っ張り余裕を更に確保し、後述の振動板２３の振幅向上による出力の向上等スピーカとしての音響特性の向上にも寄与している（図示せず）。
【００２０】
振動板２３は前記矩形状に巻回されたボイスコイル２２の上端を中央に接着結合するとともに、その周縁を前記筐体２０に接着結合して前記筐体２０の上部開口面を覆っている。
【００２１】
２４は複数の小孔２４ａを設けたプロテクタであり、その外面に制動布２４ｂを貼り付けた状態で前記振動板２３を覆うように筐体２０に取付けられている。このプロテクタ２４によって振動板２３を外力から保護するとともに、制動布２４ｂによって振動板２３の共振時の過大な振幅を抑制している。
【００２２】
なお、プロテクタ２４に小孔２４ａを設けずにレーザ照射によって微小な孔を複数個穿孔することで制動布２４ｂを削除することが可能であり、スピーカの組立工程中にこのレーザ照射による穿孔工程を設ける事で、スピーカの音響特性の違いによる振動板２３の変更とそれに伴う共振周波数の違いによる制動布２４ｂの変更を組立工程におけるレーザ照射による穿孔条件の変更のみで対応し、生産性の向上、部品点数の削減に寄与することも可能である。
【００２３】
２５は矩形形状の磁気回路部であり、板状の磁性材料を折り曲げて形成したヨーク２５ａ上に矩形形状のマグネット２５ｂおよび矩形形状の上部プレート２５ｃを夫々接着結合により一体化して形成し、上部プレート２５ｃと前記ヨーク２５ａの折り曲げて形成された壁部２５ｄ間にボイスコイル２２が嵌まり込む磁気ギャップ２５ｅを設けている。
【００２４】
この磁気回路部２５は前述のように筐体２０に前記振動板２３によって装着されたボイスコイル２２の一部を前記磁気ギャップ２５ｅに嵌め込むように筐体２０の下面の開口部に圧入保持され、接着剤を塗布して固着される。
【００２５】
この時、前記ヨーク２５ａの壁部２５ｄは折り曲げて形成したことで各コーナ部２５ｆは空隙を持ち、前記磁気ギャップ２５ｅはこのコーナ部２５ｆで外方に向かって開口されているが、前述のボイスコイル２２のコーナ部から延出された引出し線２２ａは上方から見て前記磁気ギャップ２５ｅのコーナ部２５ｆと重なるようにして磁気回路部２５外へ引き出されている。
【００２６】
即ち、引出し線２２ａがボイスコイル２２の下端部近傍から延出される場合は、磁気ギャップ２５ｅからこのコーナ部２５ｆを通じて磁気回路部２５外に延出され、この引出し線２２ａがボイスコイル２２の上端近傍から延出される場合は、スピーカ駆動時のボイスコイル２２の上下動時または最大振幅時にこの引出し線２２ａのボイスコイル２２の本体からの引出し部分が磁気ギャップ２５ｅ内に位置する事があっても引出し線２２ａが前記磁気回路部２５と衝突することはないので、いわゆる磁気ギャップ不良といわれる異音の発生はない。
【００２７】
また、引出し線２２ａの引出し位置を磁気回路部２５との衝突を考慮することのない構成となるので、スピーカの薄型化にも寄与できるものである。
【００２８】
なお、前記ヨーク２５ａは壁部２５ｄを折り曲げて４面形成するものとして説明したが、磁気効率の若干の低下はあるが短径側の壁部を形成しない事で、磁気回路部２５の筐体２０への圧入時の位置決めが容易となり、スピーカ組立時の組立工数の向上が行えるものである。
【００２９】
また、前記実施の形態においてはボイスコイル２２は矩形状に巻回されたものを前提として説明したが、筐体２０が上下面に開口を有し、磁気回路部２５も振動板２３、ボイスコイル２２の筐体２０への装着後、圧入装着されるものであるため、ボイスコイル２２の形成を筐体２０の下開口面から筐体２０内に突出させた下型凸部（図示せず）に巻回し、ボイスコイル２２表面の熱融着層を加熱固化してボイスコイル２２を筐体２０内または若干突出させた状態で矩形形状に形成した後振動板２３への接合を行う事で、予め仕掛品としてボイスコイル２２を作製することによるボイスコイル２２の搬送時の取り扱いによる変形や取り扱いの煩雑さを回避することも可能である。
【産業上の利用可能性】
【００３０】
本発明による狭幅の矩形型のスピーカは、携帯電話などのスペースを有効に活用した小型の電子機器に利用可能となるものである。
【符号の説明】
【００３１】
２０  筐体
２１  端子
２１ａ  内部接続部
２１ｂ  外部接続部
２２  ボイスコイル
２２ｂ  屈曲部
２３  振動板
２５  磁気回路部
２５ｅ  磁気ギャップ
２５ｆ  コーナ部
【図１】
2010016889.tif 000003
【図２】
2010016889.tif 000004
【図３】
2010016889.tif 000005